(57)【要約】【課題】スクリーンが固定支柱を中心にして自動的に左右対称に開くようにする。【解決手段】左右方向に伸縮するパンタグラフ機構１１３の左端で左側可動支柱１１２Ｌを支持し、その右端で右側可動支柱１１２Ｒを支持する。このパンタグラフ機構１１３の中央部を固定支柱１１１に保持する。左側可動支柱１１２Ｌおよび右側可動支柱１１２Ｒの間にスクリーン１１４を張設する。可動支柱１１２Ｌ，１１２Ｒの少なくとも一方は、スクリーン１１４の巻き取り収納部を有する。パンタグラフ機構１１３が左右方向に伸縮することで、スクリーン１１４が左右方向に開閉する。この場合、パンタグラフ機構１１４は、固定支柱１１１を中心として左右対称で伸縮する。そのため、スクリーン１１４は固定支柱１１１を中心にして自動的に左右対称に開き、左右対称とするためのユーザの調節は不要となる。【選択図】        図１
2006317796.tif 000002
【特許請求の範囲】
【請求項１】
スクリーンと、
中央に配置される固定支柱と、
上記固定支柱の左右に配置され、それぞれの間に上記スクリーンを張設し、少なくとも一方に上記スクリーンの巻き取り収納部を有する左側可動支柱および右側可動支柱と、
左端で上記左側可動支柱を支持し、右端で上記右側可動支柱を支持し、中央部が上記固定支柱に保持され、左右方向に伸縮する、複数のロッドからなるパンタグラフ機構と
を備えることを特徴とするスクリーン装置。
【請求項２】
上記左側可動支柱に左側スピーカが配設され、
上記右側可動支柱に右側スピーカが配設され、
上記固定支柱にセンタスピーカが配設される
ことを特徴とする請求項１に記載のスクリーン装置。
【請求項３】
上記固定支柱における上記パンタグラフ機構の保持位置を上下方向に調節する調節機構をさらに備える
ことを特徴とする請求項１に記載のスクリーン装置。
【請求項４】
上記固定支柱の下部に、ウーハを内蔵したスピーカボックスをさらに備える
ことを特徴とする請求項１に記載のスクリーン装置。
【請求項５】
上記巻き取り収納部は、上記スクリーンが開いた状態ではスクリーン面に均一な引っ張り力を印加し、
上記左側可動支柱および上記右側可動支柱の少なくとも一方の可動支柱の中央部は、上記パンタグラフ機構により回動自在に支持される
ことを特徴とする請求項１に記載のスクリーン装置。
【請求項６】
上記スクリーンは、上縁に沿って、裏面あるいは内部に、たるみを防止するためのシート状部材を有している
ことを特徴とする請求項１に記載のスクリーン装置。
【請求項７】
上記スクリーンが閉じた状態で上記固定支柱に上記左側可動支柱および上記右側可動支柱を一体化するためのロック機構をさらに備える
ことを特徴とする請求項１に記載のスクリーン装置。
【請求項８】
上記固定支柱の下部に移動用ローラをさらに備える
ことを特徴とする請求項１に記載のスクリーン装置。
【請求項９】
上記固定支柱の上部に、上記左側スピーカ、上記右側スピーカ、上記センタスピーカおよび上記ウーハに供給する音声信号を得るための音声情報を含む赤外線伝送信号を受光する赤外線受光部をさらに備える
ことを特徴とする請求項２に記載のスクリーン装置。
【請求項１０】
上記スピーカボックスは、上記左側スピーカ、上記右側スピーカ、上記センタスピーカおよび上記ウーハをそれぞれ駆動するためのアンプをさらに内蔵する
ことを特徴とする請求項４に記載のスクリーン装置。
【請求項１１】
上記スピーカボックスのアンプから、上記左側スピーカおよび上記右側スピーカに、上記パンタグラフ機構を構成するロッドに沿わせて配置される導体を用いて音声信号を伝送する
ことを特徴とする請求項１０に記載のスクリーン装置。
【請求項１２】
上記スピーカボックスのアンプから、上記左側スピーカおよび上記右側スピーカに、上記スクリーンの裏面あるいは内面に貼り付けられたフレキシブル基板、または上記スクリーンの裏面あるいは表面に印刷された導体を用いて音声信号を伝送する
ことを特徴とする請求項１０に記載のスクリーン装置。
【請求項１３】
上記固定支柱の中央部に回動自在に保持されている、上記パンタグラフ機構を構成する所定のロッドを、モータにより回動駆動する駆動機構をさらに備える
ことを特徴とする請求項１に記載のスクリーン装置。
【請求項１４】
プロジェクタと、
上記プロジェクタにより画像が投影されるスクリーン装置とを有し、
上記スクリーン装置は、
スクリーンと、
中央に配置される固定支柱と、
上記固定支柱の左右に配置され、それぞれの間に上記スクリーンを張設し、少なくとも一方に上記スクリーンの巻き取り収納部を有する左側可動支柱および右側可動支柱と、
左端で上記左側可動支柱を支持し、右端で上記右側可動支柱を支持し、中央部が上記固定支柱に保持され、上記スクリーンを左右方向に開閉する、複数のロッドからなるパンタグラフ機構とを備える
ことを特徴とする画像表示システム。
【発明の詳細な説明】
【技術分野】
【０００１】
この発明は、例えばプロジェクタにより画像が投影されるスクリーン装置および画像表示システムに関する。詳しくは、この発明は、固定支柱に中央部が保持されたパンタグラフ機構の左右端で、スクリーンが張設される左右の可動支柱を支持し、当該パンタグラフ機能によりスクリーンを左右方向に開閉する構成とすることによって、スクリーンが固定支柱を中心にして自動的に左右対称に開くようにしたスクリーン装置等に係るものである。
【背景技術】
【０００２】
図２５Ａ，Ｂは、従来のスクリーン装置５０を示している。図２５Ａは、スクリーン装置５０の正面図、図２５Ｂはスクリーン装置５０の側面図である。このスクリーン装置５０においては、天井７１に設置部材７２を用いて巻き取り装置５１が設置される。なお、この巻き取り装置５１を壁７３の上部に設置することもある。スクリーン５１は巻き取り装置５１に巻かれている。使用時には手動ないしは電動によって巻き取り装置を動作させてスクリーン５１を図示のようにおろし、不使用時には、スクリーン５１を巻き取り装置５１で巻き取る。また、スクリーン５２をたるみなく張るために、このスクリーン５２の下端にウエイトバー５３が取り付けられている。
【０００３】
このスクリーン装置５０には、次のような問題点があった。（１）装置全体が大きく重く、一般の家屋に設置する場合などには設置工事を必要とする場合が多いので、賃貸マンションなどの場合は設置できない場合もある。（２）一旦設置してしまうと簡単には移動することができない。（３）画面は横の方が広く、画面の縦方向にスクリーンを巻き取る方式の場合、巻き取り装置５１の横幅が広くなる。そのため、天井７１あるいは壁７３の上部に左右に広い場所が必要となり、設置の自由度が制限される。ちなみに１００インチのスクリーンの場合は横幅約２．５メートルが必要となる。
【０００４】
また、図２６Ａ，Ｂは、従来のスクリーン装置６０を示している。図２６Ａは、スクリーン装置６０の背面図、図２６Ｂはスクリーン装置６０の側面図である。このスクリーン装置６０においては、床７４に巻き取り装置６１が配置される。スクリーン６３は、巻き取り装置６１に巻かれている。使用時には、電動等の駆動手段によってパンタグラフ機構６２を駆動し、スクリーン６３を下から上へ引き上げていき、当該スクリーン６３を張る。
【０００５】
このスクリーン装置６０は、図２５Ａ，Ｂに示すスクリーン装置５０と比べて、巻き取り装置６１の設置工事が不必要で、当該巻き取り装置６１を壁７３や天井７１に取り付けなくても床７４のどこにでも置けるという利点がある。また、原理的には必要なときだけ取り出してきて、不必要なときには他の場所にしまっておけるという利点がある。
【０００６】
しかし、このスクリーン装置６０には、次のような問題点があった。（１）スクリーン６３をたるみなく張る方法として、上述のスクリーン装置５０におけるウエイトバー５３を用いるという非常に簡単で効果的な方法を使えず、スクリーン６３をたるみなく張るためにスクリーン巻き取り部６４にスプリングなどであらかじめ回転力を付加しておき、スクリーン６３を常に下方にテンションがかかった状態にしておく方法が取られている。パンタグラフ機構６２はもともとのスクリーン６３の自重とスクリーン巻き取り部６４によって付加された引っ張り力との合わさった力に対抗してこのスクリーン６３を持ち上げなければならないので、非常に大きな駆動力が必要になる。それにより、図示しない駆動モータや減速装置、パンタグラフ機構６２等の駆動に関与する部分全体が大きく重くなってしまい、ひいてはこのスクリーン装置６０全体が大きく重くなってしまい、この方式の利点である簡単に移動できるという事が不可能になってしまう場合があった。
【０００７】
（２）画面は横の方が広く、画面の縦方向にスクリーンを巻き取る方式の場合、巻き取り装置６１の横幅が広くなる。そのため、左右に広い場所がなければ設置できない。（３）装置全体が大きく重くなってしまうため、コスト的にも高くなってしまう。
【０００８】
そこで、例えば特許文献１には、上述したスクリーン装置５０，６０の問題点を解決したスクリーン装置１０が記載されている。図２７は、スクリーン装置１０を示している。このスクリーン装置１０は、中央桁１と両側の左右桁２，３を交差ロッド５，６と伸縮棒４で連結し、この間にスクリーン８，９を張ったものである。この場合、左右桁２，３を伸縮するのにともなって、スクリーン８，９は拡大、縮小する。中央桁１の下部には、高さの調整具２５〜２７、方向、傾斜の調整具３１，３２や机側収納時の機構２９等を備えた机側締結具が装着されている。
【０００９】
【特許文献１】特開平０５−２８１６１６号公報
【発明の開示】
【発明が解決しようとする課題】
【００１０】
図２７に示すスクリーン装置１０においては、左右桁２，３にそれぞれ連結されている交差ロッド５，６は互いに独立している。そのため、スクリーン８，９を中央桁（固定支柱）を中心にして左右対称に開くためには、ユーザ自身が左右桁２，３の位置を調節することが必要であった。
【００１１】
この発明の目的は、スクリーンが固定支柱を中心にして自動的に左右対称に開くようにすることにある。
【課題を解決するための手段】
【００１２】
この発明の概念は、
スクリーンと、
中央に配置される固定支柱と、
上記固定支柱の左右に配置され、それぞれの間に上記スクリーンを張設し、少なくとも一方に上記スクリーンの巻き取り収納部を有する左側可動支柱および右側可動支柱と、
左端で上記左側可動支柱を支持し、右端で上記右側可動支柱を支持し、中央部が上記固定支柱に保持され、左右方向に伸縮する、複数のロッドからなるパンタグラフ機構と
を備えることを特徴とするスクリーン装置にある。
【００１３】
この発明においては、左右方向に伸縮するパンタグラフ機構の左端に左側可動支柱が支持され、その右端に右側可動支柱が支持される。また、このパンタグラフ機構の中央部が固定支柱に保持される。左側可動支柱および右側可動支柱の間にスクリーンが張設されている。なお、左側可動支柱および右側支柱の少なくとも一方は、スクリーンの巻き取り収納部を有するようにされている。この場合、パンタグラフ機構が左右方向に伸縮することで、スクリーンが左右方向に開閉する。この場合、パンタグラフ機構は、固定支柱を中心として左右対称で伸縮することから、スクリーンは固定支柱を中心にして自動的に左右対称に開き、左右対称とするためのユーザの調節は不要となる。
【００１４】
なお、左側可動支柱に左側スピーカが配設され、右側可動支柱に右側スピーカが配設され、固定支柱にセンタスピーカが配設されるようにしてもよい。これにより、５．１チャネルサラウンド音場を得るために、フロント３チャネル分のスピーカを別途用意しなくてもよくなる。また、左側スピーカが左側可動支柱に配設され、右側スピーカが右側可動支柱に配設されるため、左右の可動支柱が移動してスクリーンの大きさが変化した場合に、その変化に合わせて左側スピーカ、右側スピーカの位置が自動的に変化することになり、ユーザがスクリーンの大きさに合わせてスピーカ位置を変化させずとも、常に良好な音場を得ることができるようになる。
【００１５】
また、固定支柱におけるパンタグラフ機構の保持位置を上下方向に調節する調節機構をさらに備えるようにしてもよい。これにより、スクリーン位置をユーザの目の高さ位置に合わせることができ、ユーザに良好な視聴環境を提供できるようなる。
【００１６】
また、固定支柱の下部に、ウーハを内蔵したスピーカボックスをさらに備えるようにしてもよい。これにより、例えばこのスピーカボックスを重い材質で形成することで、全体の重心を下げることができ、スクリーン装置の自立の安定化を図ることができる。また、５．１チャネルサラウンド音場を得るために、サブウーハを別途用意しなくてもよくなる。
【００１７】
また、スクリーンが開いた状態では巻き取り収納部がスクリーン面に均一な引っ張り力を印加するようにされ、左側可動支柱および右側可動支柱の少なくとも一方の可動支柱の中央部がパンタグラフ機構により回動自在に支持されるようにしてもよい。これにより、スクリーンの上部あるいは下部の一部にたるみが発生した場合に、そのたるみが自動的に解消される。
【００１８】
また、スクリーンは、上縁に沿って、裏面あるいは内部に、たるみを防止するためのシート状部材を有していてもよい。これにより、スクリーンを閉じるときにはスクリーンと一体となってシート状部材がコンパクトに巻き取られ、スクリーンを開いたときにはシート条部材によりスクリーンのたるみが防止される。
【００１９】
また、スクリーンが閉じた状態で固定支柱に左側可動支柱および右側可動支柱を一体化するためのロック機構をさらに備えるようにしてもよい。これにより、固定支柱および２つの可動支柱が一体化されるので、スクリーン装置の持ち運びが容易となり、その収納も容易となる。
【００２０】
また、固定支柱の下部に移動用ローラをさらに備えるようにしてもよい。これにより、スクリーン装置を移動する際には、この移動用ローラを用いて移動でき、その移動が容易となる。
【００２１】
また、固定支柱の上部に、左側スピーカ、右側スピーカ、センタスピーカおよびウーハに供給する音声信号を得るための音声情報を含む赤外線伝送信号を受光する赤外線受光部をさらに備えるようにしてもよい。これにより、赤外線伝送信号を受光する赤外線受光部を別途用意しなくてもよくなる。また、通常、スクリーンに投影されている画像を見ている間は、人はプロジェクタからの光を遮るような位置にはこないので、赤外線信号発光部がプロジェクタの近傍に配置されていれば、赤外線伝送信号が人によって遮られるおそれは少なく、音声の途切れが防止される。
【００２２】
また、スピーカボックスは、左側スピーカ、右側スピーカ、センタスピーカおよびウーハをそれぞれ駆動するためのアンプをさらに内蔵するようにしてもよい。これにより、例えば赤外線受光部から固定支柱に沿った配線によりアンプに音声信号を容易に入力できる。
【００２３】
また、スピーカボックスのアンプから、左側スピーカおよび右側スピーカに、パンタグラフ機構を構成するロッドに沿わせて配置される導体を用いて音声信号を伝送するようにしてもよい。この場合、導体がロッドに沿って配置されているため、パンタグラフ機構が左右に伸縮する際に、導体がロッドと一緒に移動するために切断されにくく、また外観的にも美しいものとなる。
【００２４】
また、スピーカボックスのアンプから、左側スピーカおよび右側スピーカに、スクリーンの裏面あるいは内面に貼り付けられたフレキシブル基板、またはスクリーンの裏面あるいは表面に印刷された導体を用いて音声信号を伝送するようにしてもよい。この場合、スクリーンと一体的にフレキシブル基板または導体が形成されているので、これらフレキシブル基板または導体は切断されにくく、また外観的にも美しいものとなる。
【００２５】
また、固定支柱の中央部に回動自在に保持されている、パンタグラフ機構を構成する所定のロッドを、モータにより回動駆動する駆動機構をさらに備えるようにしてもよい。これにより、パンタグラフ機構の左右方向の伸縮を電動駆動でき、例えばリモコン操作によってスクリーンの開閉を遠隔操作できるようになる。
【発明の効果】
【００２６】
この発明によれば、固定支柱に中央部が保持されたパンタグラフ機構の左右端にスクリーンが張設される左右の可動支柱を支持し、当該パンタグラフ機能によりスクリーンを左右方向に開閉する構成とするものであり、スクリーンが固定支柱を中心にして自動的に左右対称に開き、左右対称とするためのユーザの調節は不要となる。
【発明を実施するための最良の形態】
【００２７】
以下、図面を参照しながら、この発明の実施の形態について説明する。図１は、実施の形態としての画像表示システム１００の構成を示している。
【００２８】
この画像表示システム１００は、スクリーン装置１１０と、このスクリーン装置１１０に画像を投影するプロジェクタ１５０と、画像信号および音声信号を出力するＤＶＤ(Digital Versatile Disc)プレーヤ１６０と、リア左側スピーカ１７０Ｒ-Lと、リア右側スピーカ１７０Ｒ-Rと、リモコン送信機１８０とからなっている。
【００２９】
スクリーン装置１１０は、固定支柱１１１と、左側可動支柱１１２Ｌと、右側可動支柱１１２Ｒと、パンタグラフ機構１１３と、スクリーン１１４とを有している。固定支柱１１１は中央に配置され、この固定支柱１１１の左右に左側可動支柱１１２Ｌおよび右側可動支柱１１２Ｒが配置されている。
【００３０】
パンタグラフ機構１１３は、複数のロッドからなり、左右方向に伸縮可能とされている。このパンタグラフ機構１１３の中央部は固定支柱１１１に保持されている。このパンタグラフ機構１１３の左端に左側可動支柱１１２Ｌが支持され、その右端に右側可動支柱１１２Ｒが支持されている。これら左側可動支柱１１２Ｌおよび右側可動支柱１１２Ｒの間にスクリーン１１４が張設されている。この場合、可動支柱１１２Ｌ，１１２Ｒおよびスクリーン１１４は、パンタグラフ機構１１３によって任意の空中に保持された状態となる。
【００３１】
左側可動支柱１１２Ｌおよび右側可動支柱１１２Ｒの少なくとも一方は、スクリーン１１４の巻き取り収納部（図１には図示せず）を有するようにされている。本実施の形態においては、左側可動支柱１１２Ｌおよび右側可動支柱１１２Ｒの双方が巻き取り収納部を有している。
【００３２】
スクリーン装置１１０は、パンタグラフ機構１１３が左右方向に伸縮することで、スクリーン１１４が開閉する。図示のように、スクリーン１１４が開いた状態では、上述した巻き取り収納部により、スクリーン１１４の面に均一な引っ張り力が印加され、スクリーン１１４はたるみなく張られた状態となっている。この場合、パンタグラフ機構１１３は、固定支柱１１１を中心として左右対称で伸縮することから、スクリーン１１４は固定支柱１１１を中心にして自動的に左右対称に開くようになる。
【００３３】
固定支柱１１１の中央部にはフロントセンタスピーカ１１６Ｆ-Cが配設され、左側可動支柱１１２Ｌの中央部にはフロント左側スピーカ１１６Ｆ-Lが配設され、右側可動支柱１１２Ｒの中央部にはフロント右側スピーカ１１６-Rが配設されている。固定支柱１１１の下部前面側には、スーパーウーハ（サブウーハ）１１６Ｓを内蔵したスピーカボックス１１７が固定されている。スピーカ１１６Ｆ-C，１１６Ｆ-L，１１６Ｆ-Rおよびスーパーウーハ１１６Ｓは、上述したリア側のスピーカ１７０Ｒ-L，１７０Ｒ-Rと共働して、５．１チャネルのサラウンド音場を形成する。スピーカボックス１１７は、上述したスピーカ１１６Ｆ-C，１１６Ｆ-L，１１６Ｆ-Rおよびスーパーウーハ１１６Ｓをそれぞれ駆動するためのアンプ等を備えるアンプ部１１８を内蔵している。
【００３４】
なお、スピーカボックス１１７の左右の側面下部に棒状の転倒防止用可動足１１９，１１９が配設されている。この可動足１１９，１１９は、スピーカボックス１１７の後部側の端部が軸支され、この端部を中心に水平面で回動可能とされている。この可動足１１９，１１９の遊端を、図示のように、スピーカボックス１１７の側面から離間させた状態とすることで、スクリーン装置１１０の横への転倒を防止できる。この可動足１１９，１１９を不使用時にはその遊端がスピーカボックス１１７の側面に当接する状態とできるため、スピーカ装置１１０の移動時にそれが邪魔になることを防止できる。
【００３５】
また、固定支柱１１１の背面下部に転倒防止用伸縮足１２０が配設されている。この可動足１２０を、図示のように、伸ばすことで、スクリーン装置１１０の後への転倒を防止できる。この伸縮足１２０を不使用時には縮めておくことができ、スピーカ装置１１０の移動時にそれが邪魔になることを防止でき、また部屋が狭く、スクリーン装置１１０を後の壁ぎりぎりに配置したいときにこの伸縮足１２０が邪魔になることを防止できる。
【００３６】
また、固定支柱１１１の上部に、上述したスピーカ１１６Ｆ-C，１１６Ｆ-L，１１６Ｆ-Rおよびスーパーウーハ１１６Ｓに供給する音声信号を得るための音声情報を含む赤外線伝送信号を受光する赤外線受光部１２１を備えている。この赤外線受光部１２１は、上述したＤＶＤプレーヤ１６０の赤外線信号発光部１６０ａで発光された赤外線伝送信号を受光する。
【００３７】
また、スピーカボックス１１７には、リモコン送信機１８０からの赤外線のコントロール信号を受信するリモコン受信部１２２が配設されている。ユーザは、リモコン送信機１８０を操作することで、赤外線受光部１２１およびアンプ部１１８を動作状態あるいは非動作状態とすることができる。
【００３８】
また、スクリーン装置１１０は、図示せずも、固定支柱１１１の中央部に回動自在に保持されている、パンタグラフ機構１１３を構成する所定のロッドを、駆動モータにより回動駆動し、パンタグラフ機構１１３を左右方向に伸縮させる駆動機構を備えている。この駆動機構は固定支柱１１１に設置されている。ユーザは、リモコン送信機１８０を操作することで、パンタグラフ機構１１３を左右方向に伸縮させ、スクリーン１１４を開閉できる。
【００３９】
ＤＶＤプレーヤ１６０の詳細を説明する。図２は、ＤＶＤプレーヤ１６０の構成を示している。このＤＶＤプレーヤ１６０は、ＤＶＤ復調回路１６１、伸長回路１６２、Ｄ／Ａコンバータ１６３Ｌ，１６３Ｒ、アンプ１６４Ｌ，１６４Ｒ、変調回路１６５、赤外ＬＥＤ(Light Emitting Diode)１６６、ＭＰＥＧ(Moving Picture Experts Group)デコーダ１６７、ビデオドライバ１６８および出力端子１６９Ｌ，１６９Ｒ，１６９Ｖを有している。
【００４０】
ＤＶＤ復調回路１６１は、ＤＶＤ１９０の再生データＤ１に対して誤り訂正処理を含む復調処理を施し、画像データＤ２Ｖおよび音声データＤ２Ａのそれぞれを抽出する。ここで、画像データＤ２ＶはＤＶＤ規格で標準化されているＭＰＥＧ方式で圧縮符号化されている。また、音声データＤ２Ａは、ＤＶＤ規格で標準化されている、ドルビーＡＣ３方式あるいはＤＴＳ(Digital Theater Systems)方式で圧縮符号化されている。
【００４１】
ＭＰＥＧデコーダ１６７は、ＤＶＤ復調回路１６１で抽出された画像データＤ２Ｖに対してＭＰＥＧ方式のデコード処理を施し、ベースバンドの画像データＤ３Ｖを得る。ビデオドライバ１６８は、この画像データＤ３Ｖに対して、ケーブルの抵抗負荷に起因する反射等を防止するためのマッチング処理等を施して、プロジェクタ１５０に送信すべき画像データＤ４Ｖを得る。
【００４２】
伸長回路１６２は、ＤＶＤ復調回路１６１で抽出された音声データＤ２Ａに対して伸長処理を施し、リア左側スピーカ用の音声データＤ２０Ｌおよびリア右側スピーカ用の音声信号Ｄ２０Ｒを得る。Ｄ／Ａコンバータ１６３Ｌ，１６３Ｒは、それぞれ音声データＤ２０Ｌ，Ｄ２０Ｒをアナログ信号に変換して音声信号Ｓ２０Ｌ，Ｓ２０Ｒを得る。アンプ１６４Ｌ，１６４Ｒは、それぞれ音声信号Ｓ２０Ｌ，Ｓ２０Ｒを増幅する。
【００４３】
変調回路１６５は、ＤＶＤ復調回路１６１で抽出された音声データＤ２Ａに対して所定の赤外空間伝送方式に応じたデジタル変調処理を施し、変調音声信号Ｓ１を得る。赤外ＬＥＤ１６６（図１の赤外線信号発光部１６０ａに対応する）は、変調音声信号Ｓ１に基づいて駆動され、当該変調音声信号Ｓ１に対応した赤外線伝送信号Ｓ２を発生する。
【００４４】
なお、本実施の形態においては、上述の赤外空間伝送方式として、ＩＥＣ(International Electrotechnical Commission)−６１６０３−８−１に規定されたプロトコルを利用している。このプロトコルは、従来の２チャネル音声データを赤外線で空間伝送するための規格であるが、伝送帯域幅が２．５ＭＨｚ、フルバンドモード時の伝送レートが３．０７２Ｍｂ／ｓｅｃであることから、圧縮符号化された音声データを伝送するには十分な帯域と伝送レートを確保できる。しかも、このプロトコルは、サブキャリア周波数が既存の赤外線リモコン等の赤外線システムで用いられているサブキャリア周波数から離れているため、既存の赤外線システムにおける伝送信号と干渉せずに、圧縮音声データを送ることができる。
【００４５】
このＤＶＤプレーヤ１６０の動作を説明する。ＤＶＤ１９０から得られた再生データＤ１はＤＶＤ復調回路１６１に供給される。このＤＶＤ復調回路１６１では、再生データＤ１に対して誤り訂正処理を含む復調処理が施され、画像データＤ２Ｖおよび音声データＤ２Ａのそれぞれが抽出される。画像データＤ２Ｖは、ＭＰＥＧデコーダ１６７に供給される。
【００４６】
ＭＰＥＧデコーダ１６７では、画像データＤ２Ｖに対してＭＰＥＧ方式のデコード処理が施され、ベースバンドの画像データＤ３Ｖが得られる。この画像データＤ３Ｖはビデオドライバ１６８に供給される。ビデオドライバ１６８では、画像データＤ３Ｖに対してケーブルの抵抗負荷に起因する反射等を防止するためのマッチング処理等が施され、プロジェクタ１５０に送信すべき画像データＤ４Ｖが得られる。この画像データＤ４Ｖは、出力端子１６９Ｖに出力され、ケーブルを介してプロジェクタ１５０に供給される。
【００４７】
また、ＤＶＤ復調回路１６１で抽出された音声データＤ２Ａは伸長回路１６２に供給される。この伸長回路１６２では、音声データＤ２Ａに対して伸長処理が施され、リア左側スピーカ用の音声データＤ２０Ｌおよびリア右側スピーカ用の音声信号Ｄ２０Ｒが得られる。この音声信号Ｄ２０Ｌ，Ｄ２０ＲはそれぞれＤ／Ａコンバータ１６３Ｌ，１６３Ｒでアナログ信号に変換されてアナログの音声信号Ｓ２０Ｌ，Ｓ２０Ｒとされる。この音声信号Ｓ２０Ｌ，Ｓ２０Ｒはそれぞれアンプ１６４Ｌ，１６４Ｒで増幅されて出力端子１６９Ｌ，１６９Ｒに出力され、配線材を介してスピーカ１７０Ｒ-L，１７０Ｒ-Rに供給される。
【００４８】
また、ＤＶＤ復調回路１６１で抽出された音声データＤ２Ａは変調回路１６５に供給される。この変調回路１６５では、音声データＤ２Ａに対して、上述したＩＥＣ−６１６０３−８−１に規定されたプロトコルによるデジタル変調処理が施され、変調音声信号Ｓ１が得られる。この変調音声信号Ｓ１は赤外ＬＥＤ１６６に供給される。赤外ＬＥＤ１６６は変調音声信号Ｓ１に基づいて駆動され、この赤外ＬＥＤ１６６からは変調音声信号Ｓ１に対応した赤外線伝送信号Ｓ２が発生される。この赤外線伝送信号Ｓ２は空間を伝送して上述したスクリーン装置１１０の赤外線受光部１２１に供給される。
【００４９】
次に、スクリーン装置１１０の音声信号系の構成を説明する。図３は、この音声信号系の構成を示している。
【００５０】
赤外線受光部１２１は、フォトダイオード１２１ａおよび復調回路１２１ｂからなっている。フォトダイオード１２１ａは、上述した赤外線伝送信号Ｓ２を受光し、この赤外線伝送信号Ｓ２を光電変換して、変調音声信号Ｓ３を得る。復調回路１２１ｂは、変調音声信号Ｓ３に対してエラー訂正処理を含む復調処理を施し、音声データＤ１０を得る。
【００５１】
スピーカボックス１１７のアンプ部１１８には、伸長回路１１７ａ、Ｄ／Ａコンバータ１１７Ｌ、１１７Ｒ、１１７Ｃ、１１７Ｓ、およびアンプ１１８Ｌ、１１８Ｒ、１１８Ｃ、１１８Ｓが含まれている。
【００５２】
伸長回路１１７ａは、赤外線受光部１２１の復調回路１２１ｂで得られる音声データＤ１０に対して、その圧縮符号化方式（ドルビーＡＣ３方式あるいはＤＴＳ方式）に応じた伸長処理を施し、各チャネルのベースバンドの音声データを得る。Ｄ／Ａコンバータ１１７Ｌ，１１７Ｒ，１１７Ｃおよび１１７Ｓは、それぞれフロント左側スピーカ用の音声データＤ１１Ｌ、フロント右側スピーカ用の音声データＤ１１Ｒ、フロントセンタスピーカ用の音声データＤ１１Ｃおよびスーパーウーハ用の音声データＤ１１Ｓをアナログ信号に変換して、音声信号Ｓ１１Ｌ，Ｓ１１Ｒ，Ｓ１１ＣおよびＳ１１Ｓを得る。アンプ１１８Ｌ，１１８Ｒ，１１８Ｃおよび１１８Ｓは、それぞれ音声信号Ｓ１１Ｌ，Ｓ１１Ｒ，Ｓ１１ＣおよびＳ１１Ｓを増幅する。
【００５３】
この音声信号系の動作を説明する。ＤＶＤプレーヤ１６０の赤外ＬＥＤ１６６で発生された赤外線伝送信号Ｓ２は、赤外線受光部１２１のフォトダイオード１２１ａで受光される。このフォトダイオード１２１ａでは、赤外線伝送信号Ｓ２が光電変換されて変調音声信号Ｓ３が得られる。この変調音声信号Ｓ３は復調回路１２１ｂに供給される。この復調回路１２１ｂでは、変調音声信号Ｓ３に対してエラー訂正処理を含む復調処理が施され、圧縮符号化された音声データＤ１０が得られる。この音声データＤ１０は、固定支柱１１１内に配置された配線材を介してスピーカボックス１１７に内蔵されたアンプ部１１８の伸長回路１１７ａに供給される。
【００５４】
この伸長回路１１７ａでは、音声データＤ１０に対して、その圧縮符号化方式に応じた伸長処理が施され、各チャネルのベースバンドの音声データが得られる。この伸長回路１１７ａで得られるフロント左側スピーカ用の音声データＤ１１Ｌは、Ｄ／Ａコンバータ１１７Ｌでアナログ信号に変換されてアナログの音声信号Ｓ１１Ｌとされる。この音声信号Ｓ１１Ｌはアンプ１１８Ｌで増幅され、その後に、後述するスクリーン１１４の裏面あるいは内面に貼り付けられたフレキシブル基板を介して、左側可動支柱１１２Ｌに配設されたフロント左側スピーカ１１６Ｆ-Lに供給される。
【００５５】
また、伸長回路１１７ａで得られるフロント右側スピーカ用の音声データＤ１１Ｒは、Ｄ／Ａコンバータ１１７Ｒでアナログ信号に変換されてアナログの音声信号Ｓ１１Ｒとされる。この音声信号Ｓ１１Ｒはアンプ１１８Ｒで増幅され、その後に、後述するスクリーン１１４の裏面あるいは内面に貼り付けられたフレキシブル基板を介して、右側可動支柱１１２Ｒに配設されたフロント右側スピーカ１１６Ｆ-Rに供給される。
【００５６】
また、伸長回路１１７ａで得られるフロントセンタスピーカ用の音声データＤ１１Ｃは、Ｄ／Ａコンバータ１１７Ｃでアナログ信号に変換されてアナログの音声信号Ｓ１１Ｃとされる。この音声信号Ｓ１１Ｃはアンプ１１８Ｃで増幅され、その後に、固定支柱１１１内に配置された配線材を介して、当該固定支柱１１１に配設されたフロントセンタスピーカ１１６Ｆ-Cに供給される。
【００５７】
また、伸長回路１１７ａで得られるスーパーウーハ用の音声データＤ１１Ｓは、Ｄ／Ａコンバータ１１７Ｓでアナログ信号に変換されてアナログの音声信号Ｓ１１Ｓとされる。この音声信号Ｓ１１Ｓはアンプ１１８Ｓで増幅され、その後に、スピーカボックス１１７に内蔵されたスーパーウーハ１１６Ｓに供給される。
【００５８】
次に、スクリーン装置１１０のコントロール系の構成を説明する。図４は、このコントロール系の構成を示している。
【００５９】
スピーカボックス１１７には、上述したリモコン受信部１２２の他に、コントロールマイコン１２３およびモータドライバ１２４が内蔵されている。コントロールマイコン１２３は、スクリーン装置１１０全体の動作を制御する。モータドライバ１２４は、パンタグラフ機構１１３を構成する所定のロッドを回動駆動し、当該パンタグラフ機構１１３を左右方向に伸縮させるための駆動モータ１２５をドライブする。
【００６０】
リモコン受信部１２２では、リモコン送信機１８０から発生される赤外線のコントロール信号が受信され、それが光電変換されてユーザ操作信号ＳＵが得られる。コントロールマイコン１２３には、このようにリモコン受信部１２３で得られるユーザ操作信号ＳＵが供給される。
【００６１】
また、パンタグラフ機構１１３がスクリーン１１４の開状態に対応した伸縮位置（オープン位置）にあることを検出するオープンセンサ１２６と、パンタグラフ機構１１３がスクリーン１１４の閉状態に対応した伸縮位置（クローズ位置）にあることを検出するクローズセンサ１２７が、図示せずも、固定支柱１１１の駆動機構に対応した位置に配設されている。コントロールマイコン１２３には、これらセンサ１２６，１２７の検出信号ＤＯＰ，ＤＣＬも供給される。
【００６２】
コントロールマイコン１２３は、上述したユーザ操作信号ＳＵおよび検出信号ＤＯＰ，ＤＣＬに基づいて、モータドライバ１２４、アンプ部１１８および赤外線受光部１２１の動作を制御する。
【００６３】
すなわち、リモコン送信機１８０からアンプ部１１８および赤外線受光部１２１を動作状態とするための赤外線のコントロール信号が送信され、このコントロール信号がリモコン受信部１２２で受信されたときは、それに対応したユーザ操作信号ＳＵがコントロールマイコン１２３に供給され、このコントロールマイコン１２３の制御によりアンプ部１１８および赤外線受光部１２１は動作状態とされる。
【００６４】
また、リモコン送信機１８０からアンプ部１１８および赤外線受光部１２１を非動作状態とするための赤外線のコントロール信号が送信され、このコントロール信号がリモコン受信部１２２で受信されたときは、それに対応したユーザ操作信号ＳＵがコントロールマイコン１２３に供給され、このコントロールマイコン１２３の制御によりアンプ部１１８および赤外線受光部１２１は非動作状態とされる。
【００６５】
また、リモコン送信機１８０からスクリーン１１４を開状態とするための赤外線のコントロール信号が送信され、このコントロール信号がリモコン受信部１２２で受信されたときは、それに対応したユーザ操作信号ＳＵがコントロールマイコン１２３に供給される。この場合、コントロールマイコン１２３は、パンタグラフ機構１１３が左右方向に伸びていくように、モータドライバ１２４の動作を制御する。
【００６６】
この状態で、パンタグラフ機構１１３がスクリーン１１４の開状態に対応した伸縮位置（オープン位置）となるとき、オープンセンサ１２６からコントロールマイコン１２３に検出信号ＤＯＰが供給される。このとき、コントロールマイコン１２３は、パンタグラフ機構１１３の左右方向の伸びが停止されるように、モータドライバ１２４の動作を制御する。これにより、スクリーン１１４は開状態に保持される。
【００６７】
また、リモコン送信機１８０からスクリーン１１４を閉状態とするための赤外線のコントロール信号が送信され、このコントロール信号がリモコン受信部１２２で受信されたときは、それに対応したユーザ操作信号ＳＵがコントロールマイコン１２３に供給される。この場合、コントロールマイコン１２３は、パンタグラフ機構１１３が左右方向に縮んでいくように、モータドライバ１２４の動作を制御する。
【００６８】
この状態で、パンタグラフ機構１１３がスクリーン１１４の閉状態に対応した伸縮位置（クローズ位置）となるとき、クローズセンサ１２７からコントロールマイコン１２３に検出信号ＤＣＬが供給される。このとき、コントロールマイコン１２３は、駆動モータ１２５の回転が停止されるように、モータドライバ１２４の動作を制御する。これにより、スクリーン１１４は閉状態に保持される。
【００６９】
図１に示す画像表示システム１００で画像表示を開始するためのユーザ操作例を説明する。
ユーザは、リモコン送信機１８０で、スクリーン装置１１０の赤外線受光部１２１およびアンプ部１１８を動作状態とするための操作を行う。この場合、リモコン送信機１８０からその旨を示す赤外線コントロール信号が発生され、このコントロール信号はスピーカボックス１１７のリモコン受信部１２２に供給される。これにより、スクリーン装置１１０の赤外線受光部１２１およびアンプ部１１８は動作状態となる。
【００７０】
また、ユーザは、リモコン送信機１８０で、スクリーン１１４を開状態とするための操作を行う。この場合、リモコン送信機１８０からその旨を示す赤外線コントロール信号が発生され、このコントロール信号はスピーカボックス１１７のリモコン受信部１２２に供給される。これにより、スクリーン装置１１０のスクリーン１１４は開いた状態となる。
【００７１】
この状態で、ユーザは、ＤＶＤプレーヤ１６０を再生状態とする。このＤＶＤプレーヤ１６０から出力される画像信号はプロジェクタ１５０に供給される。これにより、スクリーン装置１１０のスクリーン１１４に、プロジェクタ１５０によって画像が投影され、画像が表示される。
【００７２】
また、ＤＶＤプレーヤ１６０から出力されるリア左音声信号はリア左側スピーカ１７０Ｒ-Lに供給され、このスピーカ１７０Ｒ-Lからはリア左音声が出力される。また、ＤＶＤプレーヤ１６０から出力されるリア右音声信号はリア右側スピーカ１７０Ｒ-Rに供給され、このスピーカ１７０Ｒ-Rからはリア右音声が出力される。
【００７３】
また、ＤＶＤプレーヤ１６０の赤外線信号発光部１６０ａから赤外線伝送信号Ｓ２が発生される。この赤外線伝送信号Ｓ２は、スクリーン装置１１０の赤外線受光部１２１で受光される。これにより、フロント左側スピーカ１１６Ｆ-L、フロント右側スピーカ１１６Ｆ-R、フロントセンタスピーカ１１６-Cおよびスーパーウーハ１１６Ｓに、それぞれフロント左音声信号、フロント右音声信号、フロントセンタ音声信号およびサブウーハ音声信号が供給され、それぞれのチャネルの音声が出力される。これにより、スクリーン１１４に表示されている画像に関連した、５．１チャネルサラウンド音場が得られる。
【００７４】
次に、図１に示す画像表示システム１００で画像表示を終了するためのユーザ操作例を説明する。
ユーザは、ＤＶＤプレーヤ１６０を再生停止状態とする。これにより、ＤＶＤプレーヤ１６０からプロジェクタ１５０に画像信号が供給されなくなり、プロジェクタ１５０によるスクリーン１１４への画像投影が停止される。また、各スピーカへの音声信号の供給がなくなり、音声出力も停止される。
【００７５】
また、ユーザは、リモコン送信機１８０で、スクリーン１１４を閉状態とするための操作を行う。この場合、リモコン送信機１８０からその旨を示す赤外線コントロール信号が発生され、このコントロール信号はスピーカボックス１１７のリモコン受信部１２２に供給される。これにより、スクリーン装置１１０のスクリーン１１４は閉じた状態となる。
【００７６】
また、ユーザは、リモコン送信機１８０で、スクリーン装置１１０の赤外線受光部１２１およびアンプ部１１８を非動作状態とするための操作を行う。この場合、リモコン送信機１８０からその旨を示す赤外線コントロール信号が発生され、このコントロール信号はスピーカボックス１１７のリモコン受信部１２２に供給される。これにより、スクリーン装置１１０の赤外線受光部１２１およびアンプ部１１８は非動作状態となる。
【００７７】
次に、スクリーン装置１１０の構成をさらに詳細に説明する。図５はスクリーン装置１１０の開状態を示す正面図、図６はスクリーン装置１１０の開状態を示すスクリーン１１４を省略した正面図、図７はスクリーン装置１１０の開状態を示す平面図、図８Ａはスクリーン装置１１０の閉状態を示す正面図、図８Ｂはスクリーン装置１１０の閉状態を示す可動支柱１１２Ｌ，１１２Ｒおよびスクリーン１１４を省略した正面図、図８Ｃはスクリーン装置１１０の閉状態を示す右側面図、図８Ｄはスクリーン装置１１０の閉状態を示す平面図である。これら図５〜図８において、図１と対応する部分には同一符号を付し、適宜、その詳細説明を省略する。
【００７８】
スクリーン装置１１０は、固定支柱１１１と、左側可動支柱１１２Ｌと、右側可動支柱１１２Ｒと、パンタグラフ機構１１３と、スクリーン１１４とを有している。固定支柱１１１は中央に配置され、この固定支柱１１１の左右に左側可動支柱１１２Ｌおよび右側可動支柱１１２Ｒが配置されている。
【００７９】
パンタグラフ機構１１３は、１０本のロッド１１３ａ〜１１３ｊからなり、左右方向に伸縮可能とされている。ここで、各ロッドの他のロッドと交差する部分には穴が開けられており、ネジ部材によって回動自在に係合されている。
【００８０】
パンタグラフ機構１１３の中央部は固定支柱１１１に保持されている。このパンタグラフ機構１１３の左端に左側可動支柱１１２Ｌが支持され、その右端に右側可動支柱１１２Ｒが保持されている。これら左側可動支柱１１２Ｌおよび右側可動支柱１１２Ｒの間にスクリーン１１４が張設されている。この場合、可動支柱１１２Ｌ，１１２Ｒおよびスクリーン１１４は、パンタグラフ機構１１３によって任意の空中に保持された状態となる。
【００８１】
図９Ａ，Ｂは、固定支柱１１１の中央部におけるロッド１１３ｃ，１１３ｈの取り付け部分を示している。図９Ａは正面図、図９Ｂは図９Ａのａ−ａ′の断面図である。固定支柱１１１の中央部には、支点金具１３１がネジ１３２によって固定される。ロッド１１３ｃ，１１３ｈの交差部分に開けられた穴１１３ｋ，１１３ｍに支点金具１３１の小径部が挿通される。これにより、ロッド１１３ｃ，１１３ｈは、それぞれ、固定支柱１１１の中央部に回動可能に取り付けられる。
【００８２】
図１０Ａ，Ｂは、固定支柱１１１の上部におけるロッド１１３ｂ，１１３ｉの取り付け部分を示している。図１０Ａは正面図、図１０Ｂは図１０Ａのｂ−ｂ′の断面図である。固定支柱１１１の上部表面側には垂直方向に伸びるガイド溝１３３が形成されている。ロッド１１３ｂ，１１３ｉの一端に開けられた穴１１３ｎ，１１３ｐにガイド金具１３４の一端側の小径部が挿通され、ロッド１１３ｂ，１１３ｉの一端は、ガイド金具１３４に、ネジ１３５によって回動自在に締結される。
【００８３】
また、固定支柱１１１のガイド溝１３３にガイドローラ１３６が摺動可能に係合されている。このガイドローラ１３６の中心に開けられた穴１１３ｑにガイド金具１３４の他端側の小径部が挿通され、ガイドローラ１３６は、ガイド金具１３４に、ネジ１３７によって締結されている。
【００８４】
固定支柱１１１の上部におけるロッド１１３ｂ，１１３ｉの取り付け部分は以上のように構成されており、パンタグラフ機構１１３が左右方向に伸縮されるとき、ガイドローラ１３６はガイド溝１３３内を摺動しながら上下方向に移動する。なお、固定支柱１１１の下部におけるロッド１１３ｄ，１１３ｇの取り付け部分も同様に構成されており、パンタグラフ機構１１３が左右方向に伸縮されるとき、ガイドローラ１３６はガイド溝１３３内を摺動しながら上下方向に移動する。これにより、スクリーン１１４の開閉時に、パンタグラフ機構１１３を左右方向に伸縮するとき、当該パンタグラフ機構１１３は左右対称に伸縮し、従ってスクリーン１１４は自動的に左右対称に開閉される。
【００８５】
図１１Ａ，Ｂは、右側可動支柱１１２Ｒの中央部におけるロッド１１３ｅ，１１３ｊの取り付け部分を示している。図１１Ａは背面図、図１１Ｂは図１１Ａのｃ−ｃ′の断面図である。可動支柱１１２Ｒの中央部には、支点金具１３８がネジ１３９によって固定される。ロッド１１３ｅ，１１３ｊの一端に開けられた穴１１３ｒ，１１３ｓに支点金具１３８の小径部が挿通される。これにより、ロッド１１３ｅ，１１３ｊは、それぞれ、可動支柱１１２Ｒの中央部に回動可能に取り付けられる。
【００８６】
図１１Ｂに示すように、可動支柱１１２Ｒはスクリーン１１４を巻き取って収納する巻き取り収納部１４０を有している。この巻き取り収納部１４０からスクリーン１１４が引き出されるとき、例えば図示しないコイルバネの作用により、巻き取り装置１４１には矢印Ｍの方向に回転力が発生し、スクリーン１１４には矢印Ｔの方向の引っ張り力が加わる。
【００８７】
なお、左側可動支柱１１２Ｌの中央部におけるロッド１１３ａ，１１３ｆの取り付け部分も同様に構成されている。
【００８８】
図１２Ａ，Ｂは、右側可動支柱１１２Ｒの上部におけるロッド１１３ｄの取り付け部分を示している。図１２Ａは背面図、図１２Ｂは図１２Ａのｄ−ｄ′の断面図である。可動支柱１１２Ｒの上部裏面側には垂直方向に伸びるガイド溝１４２が形成されている。ロッド１１３ｄの一端に開けられた穴１１３ｔにガイド金具１４３の一端側の小径部が挿通され、ロッド１１３ｄの一端は、ガイド金具１４３に、ネジ１４４によって回動自在に締結される。
【００８９】
また、可動支柱１１２Ｒのガイド溝１４２にガイドローラ１４５が摺動可能に係合されている。このガイドローラ１４５の中心に開けられた穴１１３ｕにガイド金具１４３の他端側の小径部が挿通され、ガイドローラ１４５は、ガイド金具１４３に、ネジ１４６によって締結されている。
【００９０】
可動支柱１１２Ｒの上部におけるロッド１１３ｄの取り付け部分は以上のように構成されており、パンタグラフ機構１１３が左右方向に伸縮されるとき、ガイドローラ１４５はガイド溝１４２内を摺動しながら上下方向に移動する。
【００９１】
図１３はロッド１１３ｄの取り付け部分を拡大して示したものであり、この図を用いてガイドローラ１４５周辺のクリアランスの関係を説明する。上述したように可動支柱１１２Ｒは支点金具１３８によって回動自在に支持されており、スクリーン１１４および可動支柱１１２Ｒ，１１２Ｌ等の各部の精度誤差を吸収可能な構造となっている。そのため、この可動支柱１１２Ｒの回動を妨げないように、可動支柱１１２Ｒのガイド溝１４２とガイドローラ１４５とのクリアランスＣ１は多少大きめとされている。また、可動支柱１１２Ｌとの平行度によって決まるスクリーン１１４のねじれ方向の位置精度を上げるために、クリアランスＣ２は可能な限り小さくされている。
【００９２】
なお、右側可動支柱１１２Ｒの下部におけるロッド１１３ｉの取り付け部分、左側可動支柱１１２Ｌの上部におけるロッド１１３ｇの取り付け部分および左側可動支柱１１２Ｌの下部におけるロッド１１３ｂの取り付け部分も同様に構成されており、パンタグラフ機構１１３が左右方向に伸縮されるとき、ガイドローラ１４５はガイド溝１４２内を摺動しながら上下方向に移動する。
【００９３】
ここで、図５に示すように、スクリーン１１４が開いた状態で、図１１Ｂに示すように、可動支柱１１２Ｌ，１１２Ｒが有する巻き取り収納部１４０の巻き取り装置１４１に矢印Ｍの方向に回転力が発生し、スクリーン１１４に矢印Ｔの方向に引っ張り力が加わった場合について説明する。
【００９４】
この場合、可動支柱１１２Ｌ，１１２Ｒは互いに近づく方向に動こうとする。しかし、パンタグラフ機構１１３の左右端に配設された支点金具１３８に取り付けられた可動支柱１１２Ｌ，１１２Ｒは、パンタグラフ機構１１３が縮む方向に動かなければ、互いに近づく方向に移動することができない。
【００９５】
巻き取り装置１４１に回転力が発生することでスクリーン１１４に加わる引っ張り力は、図５に示すように、スクリーン面に均一に加わる分布荷重ｔ１，ｔ２となり、当該スクリーン面を左右に均一に引っ張る。
【００９６】
いま、スクリーン１１４が正確に長方形にできていた場合、その上部あるいは下部のような一部分にたるみができたとき、左右からの均一な引っ張り力に対応するための抗力ｒ１，ｒ２が低下するので、その部分のスクリーン１１４は分布荷重ｔ１，ｔ２によって引っ張られ、結果として自動的にその部分のたるみが解消される。
【００９７】
上述したようにスクリーン１１４が正確に長方形にできていた場合は、可動支柱１１２Ｌ，１１２Ｒは垂直になる。もしスクリーン１１４が正確に長方形にできていなかった場合、つまりスクリーン１１４の左右の辺が平行にできていない場合でも同様の作用によってスクリーン面はたるみなく張られるが、その場合可動支柱１１２Ｌ，１１２Ｒのいずれかがスクリーン１１４のスクリーン１１４の形状に合わせて垂直から傾くことになる。
【００９８】
また、可動支柱１１２Ｌ，１１２Ｒはそれぞれ支点金具１３８，１３８によって回動自在に支持されているが、この左右の支点金具１３８，１３８を結ぶ直線は一本しかありえない。いま、可動支柱１１２Ｌ，１１２Ｒの高さ方向の精度が悪く上下にわずかにずれていた場合を考えると、スクリーン１１４は左右の支点金具１３８，１３８の中心を結ぶ直線とスクリーン１１４の上下のエッジが平行になり、かつたるみのない状態となって安定状態となる。
【００９９】
また、スクリーン装置１１０は、固定支柱１１１に保持されているパンタグラフ機構１１３を構成するロッド１１３ｈを駆動モータにより回動駆動し、パンタグラフ機構１１３を左右方向に伸縮させる駆動機構２００を備えている。この駆動機構２００は固定支柱１１１に設置されている。
【０１００】
図１４、図１５および図１６は、駆動機構２００の設置部分を示している。図１４は正面図、図１５は図１４のｅ−ｅ′の断面図、図１６は図１４のｆ−ｆ′の断面図である。
【０１０１】
パンタグラフ機構１１３を構成するロッド１１３ｈに、係合ピン２０１が係合される。また、固定支柱１１１の内部に、駆動ブロックフレーム２０２がネジ２０３によって取り付けられている。このフレーム２０２に駆動モータ１２５が固定された減速装置（例えばギアブロック）２０５がネジ２０６によって固定される。この場合、減速装置２０５の出力軸２０５ａの回転中心が、上述したロッド１１３ｃ，１１３ｈを回動自在に取り付けている支点金具１３１の中心と一致するようにされる。
【０１０２】
この減速装置２０５の出力軸２０５ａにクランク２０７が強固に締結される。そして、このクランク２０７の先端部に開けられた係合穴２０７ａに、上述した係合ピン２０１が挿通される。
【０１０３】
駆動機構２００の動作を説明する。モータドライバ１２４（図４参照）から駆動モータ１２５にドライブ信号が供給され、この駆動モータ１２５が回転すると、その回転は減速装置２０５によって減速され、かつ回転トルクが大きくされて、出力軸２０５ａが回転する。減速装置２０５の出力軸２０５ａが回転することで、その出力軸２０５ａに締結されたクランク２０７が支点金具１３１を中心に回転する。このクランク２０７の回転は係合ピン２０１に伝わり、この係合ピン２０１が係合されているパンタグラフ機構１１３を構成するロッド１１３ｈを支点金具１３１を中心に回転させる。
【０１０４】
これにより、パンタグラフ機構１１３が左右方向に伸縮される。この場合、減速装置２０５の出力軸２０５ａが反時計回り（左回り）に回転するように制御されるとき、パンタグラフ機構１１３は左右対称に伸びていき、逆に減速装置２０５の出力軸２０５ａが時計回り（右回り）に回転するように制御されるとき、パンタグラフ機構１１３は左右対称に縮んでいく。
【０１０５】
例えば、スクリーン１１４が開状態となるとき、ロッド１１３ｃ，１１３ｈおよび係合ピン２０１は図１４に実線で示す位置となる。また、スクリーン１１４が閉状態となるとき、ロッド１１３ｃ，１１３ｈおよび係合ピン２０１は図１４に破線で示す位置となる。固定支柱１１１の前面には、係合ピン２０１が上述した開状態の位置から閉状態の位置に移動できるように、円弧状の穴２０８が設けられている。
【０１０６】
なお、上述したように、スクリーン装置１１０のコントロール系には、パンタグラフ機構１１３がスクリーン１１４の開状態に対応した伸縮位置（オープン位置）にあることを検出するオープンセンサ１２６と、パンタグラフ機構１１３がスクリーン１１４の閉状態に対応した伸縮位置（クローズ位置）にあることを検出するクローズセンサ１２７が存在する。
【０１０７】
これらセンサ１２６，１２７は、例えば図１７に示すように、駆動ブロックフレーム２０２の内面に配設される。すなわち、オープンセンサ１２６はスクリーン１１４が開状態となるクランク２０７の位置（実線図示）に対向した位置に配設され、またクローズセンサ１２７はスクリーン１１４が閉状態となるクランク２０７の位置（破線図示）に対向した位置に配設される。例えば、センサ１２６，１２７は、発光素子および受光素子からなる反射型の光検出器で構成される。また例えば、センサ１２６，１２７は機械的なスイッチで構成される。
【０１０８】
上述したように、パンタグラフ機構１１３は、駆動機構２００により左右方向に伸縮される。しかし、駆動機構２００を使用せずに、例えば手動によってロッド１１３ｈを支点金具１３１を中心に回動させて、パンタグラフ機構１１３を左右方向に伸縮させることもできる。
【０１０９】
なお、本実施の形態では、パンタグラフ機構１１３を構成するロッド１１３ｈを支点金具１３１を中心に回転させることで当該パンタグラフ機構１１３を左右方向に伸縮させるようになっている。しかし、ロッド１１３ｈの代わりに、ロッド１１３ｃ、あるいはロッド１１３ｃ，１１３ｈの双方を回転させるようにしてもよい。
【０１１０】
上述したように、スクリーン１１４は、可動支柱１１２Ｌ，１１２Ｒ内の巻き取り装置１４１，１４１によって常に巻き取る方向に付勢されており、図５に示すようにスクリーン１１４が開いた状態では、スクリーン面には常に左右に張力がかかった状態となり、スクリーン１１４の平面性が保たれるようになっている。しかし、スクリーン１１４の材質や厚さにも依るが、場合によってはスクリーン１１４の上縁中央部が垂れてしまうことがある。
【０１１１】
そこで、本実施の形態においては、図５に示すように、スクリーン１１４の上縁に沿って、たるみを防止するための補強材としてのバネ性を有するシート状部材１４７が取り付けられる。シート状部材１４７は、例えば金属あるいは合成樹脂を用いて薄膜状に形成されたものであり、スクリーン１１４と一体となって巻き取り可能で、かつ巻いた状態で高温などの環境化で保存されても不可逆変形のないものとされる。このシート状部材１４７は、スクリーン１１４の裏面あるいは内部に、貼り付けあるいはコーティングされている。
【０１１２】
また、スクリーン装置１１０においては、固定支柱１１１の中央部にはフロントセンタスピーカ１１６Ｆ-Cが配設されている。スクリーン１１４は、このスピーカ１１６Ｆ-Cの前面側に位置する。そのため、スクリーン１１４の前面のユーザにこのスピーカ１１６Ｆ-Cからの音声が良好に届くように、スクリーン１１４としては通気性のあるものを使用するを可とする。
【０１１３】
また、左側可動支柱１１２Ｌの中央部にはフロント左側スピーカ１１６Ｆ-Lが配設され、右側可動支柱１１２Ｒの中央部にはフロント右側スピーカ１１６Ｆ-Rが配設されている。ここで、本実施の形態では、スピーカ１１６Ｆ-C，１１６Ｆ-L，１１６-Rは、ユーザ（視聴者）がスクリーン１１４に表示された画像を見る位置に着いたときに最も音質が良く聞こえる、ほぼ耳の高さと同じ高さ位置となるように配設されている。
【０１１４】
また、固定支柱１１１の上部に、上述したスピーカ１１６Ｆ-C，１１６Ｆ-L，１１６Ｆ-Rおよびスーパーウーハ１１６Ｓに供給する音声信号を得るための赤外線伝送信号Ｓ２（図１〜図３参照）を受光する赤外線受光部１２１を備えている。
【０１１５】
上述したように、スピーカボックス１１７のアンプ１１８Ｌからフロント左側スピーカ１１６Ｆ-Lに音声信号Ｓ１１Ｌを供給すると共に、スピーカボックス１１７のアンプ１１８Ｒからフロント右側スピーカ１１６Ｆ-Rに音声信号Ｓ１１Ｒを供給する（図３参照）。そのため、本実施の形態では、図５に示すように、スクリーン１１４の下縁に沿って、その裏面あるいは内部にフレキシブル基板１４８が貼り付けられており、アンプ１１８Ｌ，１１８Ｒからスピーカ１１６Ｆ-L，１１６Ｆ-Rには、このフレキシブル基板１４８を介して音声信号が伝送される。なお、このフレキシブル基板１４８の代わりに、スクリーン１１４の下縁に沿って、その裏面あるいは表面に導体を印刷し、この導体を介して音声信号を伝送するように構成することもできる。
【０１１６】
また、スクリーン装置１１０は、スクリーン１１４が閉じた状態で、固定支柱１１１に左側可動支柱１１２Ｌおよび右側可動支柱１１２Ｒを一体化するためのロック機構２１０を備えている。図１８Ａ〜Ｄは、ロック機構２１０の部分の概略を示している。図１８Ａは平面図、図１８Ｂは左側面図、図１８Ｃは右側面図、図１８Ｄは正面図である。
【０１１７】
固定支柱１１１の左右の側面および可動支柱１１２Ｒの前面には、それぞれ、一端側に係合凹部２１１ａが形成されている係合片２１１の他端側が、軸２１２に回動自在に取り付けられている。また、上述した各係合片２１１に対応して、可動支柱１１２Ｌ，１１２Ｒの側面および可動支柱１１２Ｌの前面に係合ピン２１３が植立されている。
【０１１８】
スクリーン１１４が閉じた状態で（図８参照）、図１８Ａ〜Ｄに示すように、各係合片２１１を回動させて、その係合凹部２１１ａを対応する係合ピン２１３に係合させる。これにより、固定支柱１１１に左側可動支柱１１２Ｌおよび右側可動支柱１１２Ｒがロックされ、これらが一体化される。
【０１１９】
また、スクリーン装置１１０は、固定支柱１１１の下部前面側に、スーパーウーハ（サブウーハ）１１６Ｓを内蔵したスピーカボックス１１７が固定されている。そして、このスピーカボックス１１７の左右の側面下部に棒状の転倒防止用可動足１１９，１１９が配設されている。
【０１２０】
図１９に示すように、スピーカボックス１１７の後部側の端部に軸受け部２２０が固定されている。この軸受け部２２０に、水平面で回動可能に、可動足１１９，１１９の一端が軸支されている。この可動足１１９，１１９の遊端を、図１９に破線で示すように、スピーカボックス１１７の側面から離間させた状態とすることで、スクリーン装置１１０の横への転倒を防止できる。この可動足１１９，１１９を不使用時にはその遊端がスピーカボックス１１７の側面に当接する状態とできるため、スピーカ装置１１０の移動時にそれが邪魔にならずに済む。
【０１２１】
また、固定支柱１１１の背面下部に転倒防止用伸縮足１２０が配設されている。この可動足１２０を、図１９に破線で示すように、伸ばすことで、スクリーン装置１１０の後への転倒を防止できる。この伸縮足１２０を不使用時には縮めておくことができ、スピーカ装置１１０の移動時にそれが邪魔にならずに済む。また部屋が狭く、スクリーン装置１１０を後の壁ぎりぎりに配置したいときにも、この伸縮足１２０を縮めておくことで、邪魔になることを防止できる。
【０１２２】
また、スクリーン装置１１０は、固定支柱１１１の裏面側の下部に、図１９に示すように、移動用ローラ２３０が取り付けられている。移動用ローラ２３０は、左右に一つずつ設けられている。
【０１２３】
図２０Ａは、スクリーン装置１１０の使用時の状態を示しているが、このとき移動用ローラ２３０は床７４の面から離れている。そのため、スピーカボックス１１７の下面は床７４にしっかりと密着するため、上述した転倒防止用可動足１１９，１１９および転倒防止用伸縮足１２０を併用して、安全にスクリーン１１４を開くことができる。
【０１２４】
一方、図２０Ｂは、スクリーン装置１１０の移動時の状態を示している。転倒防止用可動足１１９，１１９および転倒防止用伸縮足１２０を収納し、固定支柱１１１を後に少し傾けると、移動用ローラ２３０が床７４に当接し、スクリーン装置１１０の移動が容易となる。
【０１２５】
上述の実施の形態におけるスクリーン装置１１０によれば、固定支柱１１１に中央部が保持されたパンタグラフ機構１１３の左右端で、スクリーン１１４が張設される左右の可動支柱１１２Ｌ，１１２Ｒを支持し、当該パンタグラフ機能１１３によりスクリーン１１４を左右方向に開閉する構成であり、スクリーン１１４が固定支柱１１１を中心にして自動的に左右対称に開き、左右対称とするためのユーザの調節は不要となる。また、スクリーン１１４の開閉時に左右対称に伸縮するので、その動作自体が美しくなる。
【０１２６】
また、上述の実施の形態におけるスクリーン装置１１０によれば、左側可動支柱１１２Ｌにフロント左側スピーカ１１６Ｆ-Lが配設され、右側可動支柱１１２Ｒにフロント右側スピーカ１１６Ｆ-Rが配設され、固定支柱１１１にフロントセンタスピーカ１１６Ｆ-Cが配設されているので、５．１チャネルサラウンド音場を得るために、フロント３チャネル分のスピーカを別途用意しなくてもよくなる。
【０１２７】
また、左側スピーカ１１６Ｆ-Lは左側可動支柱１１２Ｌに配設され、右側スピーカ１１６Ｆ-Rは右側可動支柱１１２Ｒに配設されるため、左右の可動支柱１１２Ｌ，１１２Ｒが移動してスクリーン１１４の大きさが変化した場合に、その変化に合わせて左側スピーカ１１６Ｆ-L、右側スピーカ１１６Ｆ-Rの位置が自動的に変化することになり、ユーザがスクリーン１１４の大きさに合わせてスピーカ位置を変化させずとも、常に良好な音場を得ることができる。
【０１２８】
また、スピーカ１１６Ｆ-C，１１６Ｆ-L，１１６-Rは、ユーザ（視聴者）がスクリーン１１４に表示された画像を見る位置に着いたときの、当該ユーザの耳の高さとほぼ同じ高さ位置となるように配設されているので、ユーザは良好な音質で聴くことができる。
【０１２９】
また、上述の実施の形態におけるスクリーン装置１１０によれば、固定支柱１１１の下部に、スーパーウーハ（サブウーハ）１１６Ｓを内蔵したスピーカボックス１１７が固定されているものであり、このスピーカボックスを重い材質で形成することで、全体の重心を下げることができ、スクリーン装置１１０の自立の安定化を図ることができる。また、５．１チャネルサラウンド音場を得るために、サブウーハを別途用意しなくてもよくなる。
【０１３０】
また、上述の実施の形態におけるスクリーン装置１１０によれば、スクリーン１１４が開いた状態では巻き取り収納部１４０がスクリーン面に均一な引っ張り力を印加し、かつ可動支柱１１２Ｌ，１１２Ｒの中央部がパンタグラフ機構１１３により回動自在に支持されているので、スクリーンの上部あるいは下部の一部にたるみが発生した場合でも、そのたるみが自動的に解消される。
【０１３１】
また、上述の実施の形態におけるスクリーン装置１１０によれば、スクリーン１１４の上縁に沿って、補強材としてのバネ性を有するシート状部材１４７が取り付けられているので、スクリーン１１４の上縁中央部が垂れてしまうことを良好に防止できる。
【０１３２】
また、上述実施の形態におけるスクリーン装置１１０によれば、スクリーン１１４が閉じた状態で固定支柱１１１に左側可動支柱１１２Ｌおよび右側可動支柱１１２Ｒを一体化するためのロック機構２１０を備えるものであり、固定支柱１１１および２つの可動支柱１１２Ｌ，１１２Ｒが一体化されるので、スクリーン装置１１０の持ち運びが容易となり、その収納も容易となる。
【０１３３】
また、上述実施の形態におけるスクリーン装置１１０によれば、固定支柱１１１の下部に移動用ローラ２３０を備えるものであり、スクリーン装置１１０を移動する際には、この移動用ローラ２３０を用いて移動でき、その移動が容易となる。
【０１３４】
また、上述実施の形態におけるスクリーン装置１１０によれば、固定支柱１１１の上部に、左側スピーカ１１６Ｆ-L、右側スピーカ１１６Ｆ-R、センタスピーカ１１６Ｆ-Cおよびスーパーウーハ１１６Ｓに供給する音声信号を得るための音声情報を含む赤外線伝送信号を受光する赤外線受光部１２１を備えるものであり、赤外線伝送信号を受光する赤外線受光部を別途用意しなくてもよくなる。また、通常、スクリーン１１４に投影されている画像を見ている間は、人はプロジェクタ１５０からの光を遮るような位置にはこないので、赤外線信号発光部１６０ａがプロジェクタ１５０の近傍に配置されていれば、赤外線伝送信号が人によって遮られるおそれは少なく、音声の途切れを防止できる。
【０１３５】
また、上述実施の形態におけるスクリーン装置１１０によれば、スピーカボックス１１７は、左側スピーカ１１６Ｆ-L、右側スピーカ１１６Ｆ-R、センタスピーカ１１６Ｆ-Cおよびスーパーウーハ１１６Ｓをそれぞれ駆動するためのアンプ１１８Ｌ，１１８Ｒ，１１８Ｃ，１１８Ｓを内蔵するものであり、別途それらのアンプを容易しなくてもよくなる。また、赤外線受光部１２１から固定支柱１１１に沿った配線により、アンプ１１８Ｌ，１１８Ｒ，１１８Ｃ，１１８Ｓに音声信号を容易に入力できる。
【０１３６】
また、上述実施の形態におけるスクリーン装置１１０によれば、スピーカボックス１１７のアンプ１１８Ｌ，１１８Ｒから、左側スピーカ１１６Ｆ-Lおよび右側スピーカ１１６Ｆ-Rに、スクリーン１１４の裏面あるいは内面に貼り付けられたフレキシブル基板１４８、またはスクリーン１１４の裏面あるいは表面に印刷された導体を用いて音声信号が伝送されるものであり、スクリーン１１４と一体的にフレキシブル基板１４８または導体が形成されているので、これらフレキシブル基板１４８または導体は切断されにくく、また外観的にも美しいものとなる。
【０１３７】
また、上述実施の形態におけるスクリーン装置１１０によれば、固定支柱１１１に設置され、パンタグラフ機構１１を構成するロッド１１３ｈを駆動モータ１２５により回動駆動する駆動機構２００を備えるものであり、パンタグラフ機構１１３の左右方向の伸縮を電動駆動でき、例えばユーザのリモコン操作によってスクリーン１１４の開閉を遠隔操作できる。
【０１３８】
なお、上述実施の形態においては、スピーカボックス１１７のアンプ１１８Ｌ，１１８Ｒから、スピーカ１１６Ｆ-L，１１６Ｆ-Rへの音声信号の伝送をスクリーン１１４に貼り付けられフレキシブル基板１４８、またはスクリーン１１４に印刷された導体を用いて行うものを示した。しかし、図２１に示すように、パンタグラフ機構１１３を構成するロッドに沿って導体としての配線材１４９を配置し、これにより音声信号を伝送するようにしてもよい。この場合、配線材１４９がロッドに沿って配置されているため、パンタグラフ機構１１３が左右に伸縮する際に、配線材１４９がロッドと一緒に移動するために切断されにくく、また外観的にも美しいものとなる。
【０１３９】
また、上述実施の形態においては、パンタグラフ機構１１３の中央部、すなわちロッド１１３ｃ，１１３ｈの交差部が支点金具１３１により回動自在に固定支柱１１１に保持されており、この保持位置を調節できないものであるが、この保持位置を上下方向に調節できるように構成することもできる。
【０１４０】
図２２、図２３および図２４は、パンタグラフ機構１１３の保持位置を上下方向に調節できるようにした場合における、駆動機構２００の設置部分を示している。図２２は正面図、図２３は図２２のｇ−ｇ′の断面図、図２４は右側面図である。これら図２２〜図２４において、図１４〜図１６と対応する部分には同一符号を付し、適宜その詳細説明を省略する。
【０１４１】
固定支柱１１１の内部に、駆動ブロックフレーム２４０が配置される。この駆動ブロックフレーム２４０は、固定支柱１１１の側面に開けられた上下方向に伸びる長穴１１１ａを利用して、ネジ２４１によって固定される。この場合、長穴１１１ａの範囲内で、駆動ブロックフレーム２４０の固定支柱１１１への固定位置を、上下方向に調節できる。
【０１４２】
パンタグラフ機構１１３を構成するロッド１１３ｃ，１１３ｈは、駆動ブロックフレーム２４０の正面の中央部にネジ１３２で固定された支点金具１３１に、回動自在に取り付けられている。
【０１４３】
パンタグラフ機構１１３を構成するロッド１１３ｈに、係合ピン２０１が係合される。また、固定ブロックフレーム２４０に駆動モータ１２５が固定された減速装置（例えばギアブロック）２０５がネジ２０６によって固定される。この場合、減速装置２０５の出力軸２０５ａの回転中心が、上述したロッド１１３ｃ，１１３ｈを回動自在に取り付けている支点金具１３１の中心と一致するようにされる。
【０１４４】
この減速装置２０５の出力軸２０５ａにクランク２０７が強固に締結される。そして、このクランク２０７の先端部に開けられた係合穴２０７ａに、上述した係合ピン２０１が挿通される。
【０１４５】
図２２〜図２４に示すように駆動機構２００が設置されている場合の当該駆動機構２００の動作も、上述の図１４〜図１６に示すように駆動機構２００が設置されている場合と同様である。駆動ブロックフレーム２４０の前面には、係合ピン２０１が開状態の位置から閉状態の位置に移動できるように、円弧状の穴２４２が設けられている。
【０１４６】
図２２〜図２４に示すように駆動機構２００が設置されている場合、上述したように駆動ブロックフレーム２４０の固定支柱１１１への固定位置を上下方向に調節することで、パンタグラフ機構１１３の保持位置、従ってスクリーン１１４の位置を上下方向に調節できる。これにより、スクリーン１１４の位置をユーザの目の高さ位置に合わせることができ、ユーザに良好な視聴環境を提供できる。
【０１４７】
なお、固定支柱１１１の前面には、駆動ブロックフレーム２４０を上下方向に移動した際に、支点金具１３１、係合ピン１２１の移動を妨げないように、開口２４３が設けられている。また、固定支柱１１１の後面には、駆動ブロックフレーム２４０を上下方向に移動した際に、駆動モータ１２５および減速装置２０５の移動を妨げないように、開口２４４が設けられている。
【産業上の利用可能性】
【０１４８】
この発明は、スクリーンが固定支柱を中心にして自動的に左右対称に開くようにしたものであり、プロジェクタにより画像を投影するホームシアターシステムに適用できる。
【図面の簡単な説明】
【０１４９】
【図１】実施の形態としての画像表示システムの構成を示す図である。
【図２】ＤＶＤプレーヤの構成を示すブロック図である。
【図３】スクリーン装置の音声信号系の構成を示すブロック図である。
【図４】スクリーン装置のコントロール系の構成を示すブロック図である。
【図５】スクリーン装置の開状態を示す正面図である。
【図６】スクリーン装置の開状態を示すスクリーンを省略した正面図である。
【図７】スクリーン装置の開状態を示す平面図である。
【図８】スクリーン装置の閉状態を示す図である。
【図９】固定支柱中央部のロッド取り付け部分を示す図である。
【図１０】固定支柱上部のロッド取り付け部分を示す図である。
【図１１】可動支柱中央部のロッド取り付け部分を示す図である。
【図１２】可動支柱上部のロッド取り付け部分を示す図である。
【図１３】可動支柱上部のロッド取り付け部分の拡大図である。
【図１４】駆動機構の設置部分を示す正面図である。
【図１５】駆動機構の設置部分を示すｅ−ｅ′断面図である。
【図１６】駆動機構の設置部分を示すｆ−ｆ′断面図である。
【図１７】オープンセンサ、クローズセンサの配設位置を示す図である。
【図１８】ロック機構の部分を示す図である。
【図１９】転倒防止用足、移動用ローラを示す図である。
【図２０】移動用ローラの、スクリーン使用時、スクリーン装置移動時の状態を説明するための図である。
【図２１】スピーカへの音声信号の伝送を行うロッドに沿った配線材を説明するための図である。
【図２２】駆動機構の設置部分の他の例を示す図である。
【図２３】駆動機構の設置部分の他の例を示すｇ−ｇ′断面図である。
【図２４】駆動機構の設置部分の他の例を示す右側面図である。
【図２５】従来のスクリーン装置の例を示す図である。
【図２６】従来のスクリーン装置の他の例を示す図である。
【図２７】従来のスクリーン装置のさらに他の例を示す図である。
【符号の説明】
【０１５０】
１００・・・画像表示システム、１１０・・・スクリーン装置、１１１・・・固定支柱、１１１ａ・・・長穴、１１２Ｌ・・・左側可動支柱、１１２Ｒ・・・右側可動支柱、１１３・・・パンタグラフ機構、１１３ａ〜１１３ｊ・・・ロッド、１１４・・・スクリーン、１１６Ｆ-L・・・フロント左側スピーカ、１１６Ｆ-R・・・フロント右側スピーカ、１１６-C・・・フロントセンタスピーカ、１１６Ｓ・・・スーパーウーハ（サブウーハ）、１１７・・・スピーカボックス、１１７ａ・・・伸長回路、１１８・・・アンプ部、１１９・・・転倒防止用可動足、１２０・・・転倒防止用伸縮足、１２１・・・赤外線受光部、１２２・・・リモコン受信部、１２３・・・コントロールマイコン、１２４・・・モータドライバ、１２５・・・駆動モータ、１２６・・・オープンセンサ、１２７・・・クローズセンサ、１３１・・・支点金具、１３３・・・ガイド溝、１３４・・・ガイド金具、１３６・・・ガイドローラ、１３８・・・支点金具、１４０・・・巻き取り収納部、１４１・・・巻き取り装置、１４２・・・ガイド金具、１４５・・・ガイドローラ、１４７・・・シート状部材、１４８・・・フレキシブル基板、１４９・・・配線材、１５０・・・プロジェクタ、１６０・・・ＤＶＤプレーヤ、１６０ａ・・・赤外線信号発光部、１７０Ｒ-L・・・リア左側スピーカ、１７０Ｒ-R・・・リア右側スピーカ、１８０・・・リモコン送信機、１９０・・・ＤＶＤ、２００・・・駆動機構、２０１・・・係合ピン、２０２・・・駆動ブロックフレーム、２０５・・・減速装置、２０７・・・クランク、２０７ａ・・・係合穴、２１０・・・ロック機構、２１１・・・係合片、２１１ａ・・・係合凹部、２１２・・・軸、２１３・・・係合ピン、２２０・・・軸受け部、２３０・・・移動用ローラ、２４０・・・駆動ブロックフレーム
【図１】
2006317796.tif 000003
【図２】
2006317796.tif 000004
【図３】
2006317796.tif 000005
【図４】
2006317796.tif 000006
【図５】
2006317796.tif 000007
【図６】
2006317796.tif 000008
【図７】
2006317796.tif 000009
【図８】
2006317796.tif 000010
【図９】
2006317796.tif 000011
【図１０】
2006317796.tif 000012
【図１１】
2006317796.tif 000013
【図１２】
2006317796.tif 000014
【図１３】
2006317796.tif 000015
【図１４】
2006317796.tif 000016
【図１５】
2006317796.tif 000017
【図１６】
2006317796.tif 000018
【図１７】
2006317796.tif 000019
【図１８】
2006317796.tif 000020
【図１９】
2006317796.tif 000021
【図２０】
2006317796.tif 000022
【図２１】
2006317796.tif 000023
【図２２】
2006317796.tif 000024
【図２３】
2006317796.tif 000025
【図２４】
2006317796.tif 000026
【図２５】
2006317796.tif 000027
【図２６】
2006317796.tif 000028
【図２７】
2006317796.tif 000029